(57)【要約】【課題】本発明は、水分吸収シートが積層外装材に介在されている被包装物を収納する湿分吸収包装体であって、前記水分吸収シートの大きさを任意に設定可能とし、無駄な水分吸収シートを使用することなく、かつ、外観を損ねることのない、湿気を嫌う食品、医薬品、精密機器、電子部品等各種製品の被包装物を収納し、その被包装物が容器内湿分による変質や機能劣化から保護する湿分吸収包装体を提供する。【解決手段】少なくとも外側基材とシーラント層とを積層してなる積層外装材に水分吸収シートが介在されている被包装物を収納する湿分吸収包装体であって、前記水分吸収シートが、前記包装体の縦側端シール部または横側端シール部にシールされて積層外装材に介在されており、縦方向の長さまたは横方向の幅が任意に設定可能であることを特徴とする湿分吸収包装体。【選択図】図１
2008285196.tif 000002
【特許請求の範囲】
【請求項１】
少なくとも基材とシーラント層とを積層してなる積層外装材に水分吸収シートが介在されている被包装物を収納する湿分吸収包装体であって、
前記水分吸収シートが、前記包装体の縦側端シール部または横側端シール部にシールされて積層外装材に介在されており、縦方向の長さまたは横方向の幅が任意に設定可能であることを特徴とする湿分吸収包装体。
【請求項２】
前記水分吸収シートの縦方向の長さまたは横方向の幅が、前記積層外装材の縦方向の長さまたは横方向の幅よりも狭いことを特徴とする請求項１または２記載の湿分吸収包装体。
【請求項３】
前記水分吸収シートの縦方向の長さまたは横方向の幅が、前記包装体に収納する被包装物の大きさにより任意に設定可能であることを特徴とする請求項１または２記載の湿分吸収包装体。
【請求項４】
前記水分吸収シートの縦方向の長さまたは横方向の幅が、前記包装体に収納する被包装物の長さまたは幅より狭いことを特徴とする請求項３記載の湿分吸収包装体。
【請求項５】
前記水分吸収シートが、前記積層外装材の最内層に位置するように介在されていることを特徴とする請求項１〜４のいずれか１項に記載の湿分吸収包装体。
【発明の詳細な説明】
【技術分野】
【０００１】
本発明は、積層外装材に水分吸収シートが介在されている湿分吸収成形体に係わり、特に、湿気を嫌う食品、医薬品、精密機器、電子部品等各種製品の被包装物を収納し、その収納被包装物が容器内湿分による変質から保護する湿分吸収包装体に関する。
【背景技術】
【０００２】
従来より、湿気を嫌う食品、医薬品、精密機器、電子部品等各種製品の保存には、容器内部の湿気を除去するため、シリカゲル、塩化カルシウム、ゼオライト等乾燥剤を詰めた小袋を、製品と一緒に入れて保管している。しかし、これらの乾燥剤は、粒状あるいは粉末状の形態で紙や不織布に包装されるか容器等に封入された状態で使用されており、そのため、容器の容積が占有されたり、製品の充填に支障があったり、または乾燥剤が本来有する吸湿効果及び吸湿速度を制御しにくい。さらに、乾燥剤を詰めた包装材破損による製品への乾燥剤の付着、混入などの問題がしばしば発生している。
【０００３】
近年は、上記の欠点を改良するために乾燥剤を熱可塑性樹脂に配合した水分吸収シートをシート状にカットして包装容器に被包装物と一緒に収納されていた。このような被包装物と水分吸収シートが混在する包装体においては、被包装物に水分吸収シートが付着し、被包装物が食品等である場合には、食品と一緒に水分吸収シートを誤食したり、食品と共に水分吸収シートも料理されてしまう可能性等の問題がある。
【０００４】
そこで、上記の問題点を解決するために、例えば、図４で示すように、基材フィルム４１とシーラント層４２が積層された包装材料４０であって、基材フィルム４１のシーラント層４２と対向する側に乾燥剤４６をビヒクル４５中に分散させ、乾燥剤が分散されたビヒクルを溶剤で希釈し、基材フィルム４１上に塗布して塗膜状にした水分吸収層４３を設けた包装材料およびその包装材料を使用した包装袋が特許文献１で提案されている。
【０００５】
しかしながら、基材フィルム４１とシーラント層４２との中間層に水分吸収層４３が存在することで包装袋内の湿気除去に十分な効果期待できない。さらに、包装体を構成する積層材料の全面に水分吸収層を積層した包装材料を、湿気を嫌う被包装物を収納する場合であっても、被包装物の湿気除去以上の余分の水分吸収層が設けられている場合もあって不経済である。また、水分を保持する必要のある被包装物を収納する場合では、水分吸収シートが水分を吸収し過ぎて被包装物が乾燥状態になり味覚が劣化したりして食することができなくなると言った問題も生ずる。
【０００６】
下記に公知文献を記す。
【特許文献１】特開平１１−５９７４３号公報
【発明の開示】
【発明が解決しようとする課題】
【０００７】
本発明は、上記の問題点を解決するためになされたものであって、積層外装材に水分吸収シートが介在されている被包装物を収納する湿分吸収包装体であって、前記水分吸収シートの大きさを任意に設定可能とし、無駄な水分吸収シートを使用することなく、かつ、外観を損ねることのない、湿気を嫌う食品、医薬品、精密機器、電子部品等各種製品の被包装物を収納し、その被包装物が容器内湿分による変質や機能劣化から保護する湿分吸収包装体を提供することを目的とする。
【課題を解決するための手段】
【０００８】
上記の目的を達成するための解決手段として、
請求項１に係る発明は、少なくとも基材とシーラント層とを積層してなる積層外装材に水分吸収シートが介在されている被包装物を収納する湿分吸収包装体であって、
前記水分吸収シートが、前記包装体の縦側端シール部または横側端シール部にシールされて積層外装材に介在されており、縦方向の長さまたは横方向の幅が任意に設定可能であることを特徴とする湿分吸収包装体である。
【０００９】
請求項２に係る発明は、前記水分吸収シートの縦方向の長さまたは横方向の幅が、前記積層外装材の縦方向の長さまたは横方向の幅よりも狭いことを特徴とする請求項１または２記載の湿分吸収包装体である。
【００１０】
請求項３に係る発明は、前記水分吸収シートの縦方向の長さまたは横方向の幅が、前記包装体に収納する被包装物の大きさにより任意に設定可能であることを特徴とする請求項１または２記載の湿分吸収包装体である。
【００１１】
請求項４に係る発明は、前記水分吸収シートの縦方向の長さまたは横方向の幅が、前記包装体に収納する被包装物の長さまたは幅より狭いことを特徴とする請求項３記載の湿分吸収包装体である。
【００１２】
請求項５に係る発明は、前記水分吸収シートが、前記積層外装材の最内層に位置するように介在されていることを特徴とする請求項１〜４のいずれか１項に記載の湿分吸収包装体である。
【発明の効果】
【００１３】
本発明の湿分吸収包装体は、積層外装材に介在されている水分吸収シートの縦方向の長さまたは横方向の幅が任意に設定できることで、無駄な水分吸収シートを使用することなく、かつ、包装体の外観を損ねることがない。
【００１４】
また、前記水分吸収シートが、湿分吸収包装体の縦側端シール部または横側端シール部にシールされて積層外装材に介在されていることで、被包装物に水分吸収シートが付着し、被包装物が食品等である場合には、食品と一緒に水分吸収シートを誤食したり、食品と共に水分吸収シートも料理されてしまう可能性等の問題が解消できる。
【００１５】
また、前記水分吸収シートが、湿分吸収包装体を構成する積層外装材の最内層に位置するように介在されていることで、包装袋内の湿気除去に十分な効果を奏する。
【発明を実施するための最良の形態】
【００１６】
以下、本発明の湿分吸収包装体についてその一実施形態について図面を参照して説明する。図１は、本発明の湿分吸収包装体の一例を示す平面図およびＡ−Ａ断面図である。
【００１７】
本発明の湿分吸収包装体の一例として、図１（ａ）、（ｂ）で示すように、少なくとも外装基材１４とシーラント層１３とを積層してなる積層外装材１１に水分吸収シート１２が介在されている被包装物１５を収納する包装体であって、前記水分吸収シート１２が前記湿分吸収包装体の横側端シール部１１ｂ，１１ｂにシールされて積層外装材１１に介在されており、水分吸収シート１２の横方向の幅Ｗ１２が、包装体を構成する積層外装材１１の幅Ｗ１１より狭く、かつ、包装体に収納する被包装物１５の幅Ｗ１５より狭いことを特徴とする湿分吸収包装体１０である。
【００１８】
そして、本発明における水分吸収シート１２は、本発明の湿分吸収包装体１０の最内層側に位置することを特徴とする。
【００１９】
また、本発明の湿分吸収包装体の他の例として、図２で示すように、少なくとも基材とシーラント層とを積層してなる積層外装材２１に水分吸収シート２２が介在されている被包装物２５を収納する包装体であって、前記水分吸収シート２２が、前記湿分吸収包装体の縦側端シール部２１ａ，２１ａにシールされて積層外装材２１に介在されており、水分吸収シート２２の縦方向の長さＬ２２が、包装体を構成する積層外装材２１の長さＬ２１より短く、かつ、包装体に収納する被包装物２５の長さＬ２５より短いことを特徴とする湿分吸収包装体２０である。
【００２０】
そして、本発明における水分吸収シート２２は、本発明の湿分吸収包装体２０の最内層側に位置することを特徴とする。
【００２１】
本発明の湿分吸収包装体は、上記で例示した構成に限定されるものではなく、前記水分吸収シートが、前記湿分吸収包装体の縦側端シール部または横側端シール部にシールされて介在されており、水分吸収シートの縦方向の長さまたは横方向の幅は任意に設定することができる。また、前記湿分吸収包装体に収納する被包装物の大きさにより水分吸収シートの縦方向の長さまたは横方向の幅は任意に設定することができる。
【００２２】
なお、本発明における水分吸収シートの他の使用方法として、図３で示すように、個包装を積重した被包装物３５をバンデイングする包装帯として本発明における水分吸収シート３２を使用し、一例として、被包装物３５を収納したピロー包装形態の湿分吸収包装体３０とすることもできる。このような構成とすることで、従来使用されていたポリオレフィンフィルム等からなるバンデイング用包装帯、除湿材が不要となり、包装材料の削減となると共に、従来の混在されていた除湿材の誤飲等の問題が解消される。
【００２３】
本発明で使用される水分吸収シート１２，２２としては、熱可塑性樹脂に、水分に対して収着性を有する繊維や吸湿性を有する吸湿性無機化合物を配合した吸湿性樹脂組成物をシート状またはフィルム状に成形したものが使用される。
【００２４】
上記の吸湿性無機化合物としては、例えば、ゼオライト、酸化カルシウム、塩化カルシウム、硫酸マグネシウムなどの硫酸塩化合物、アルミナ、活性炭、粘土鉱物、シリカゲル等１種以上から選択される。さらに、本発明では上記の吸湿性無機化合物に水分に対して収着性を有する繊維、例えば、合成繊維、セルロース繊維、架橋セルロース繊維等を併用することもできる。特に、カルボキシメチルセルロースなどのセルロース誘導体や、ポリビニルアルコールなどの吸湿性樹脂を繊維状に加工したもの、不織布状のものなどが利用可能である。
【００２５】
上記の水分吸収シートは、一時的に繊維が収着・透過させた湿分を、基本的には、吸湿性無機化合物が吸湿するものである。
【００２６】
また、上記の熱可塑性樹脂としては、特に制限されるものではないが、例えば、ポリエチレン、ポリプロピレン、エチレン−プロピレン共重合体等の樹脂、ポリ酢酸ビニル系樹脂、ポリエステル系樹脂、ポリスチレン系樹脂等汎用の熱可塑性樹脂が使用できる。
【００２７】
次に、本発明で使用される積層外装材１１，２１を構成する基材１４としては、特に制限されるものではないが、例えば、高密度ポリエチレン、中密度ポリエチレン、低密度ポリエチレン、エチレン−αオレフィン共重合体などのエチレン系樹脂や、ポリプロピレン、ブロックポリプロピレンなどのαオレフィン−エチレン共重合体、あるいはニ種以上のα−オレフィンを共重合させたものなどが挙げられる。また、エチレン−環状オレフィン共重合体などのポリオレフィン樹脂も使用可能である。また、ポリエチレンテレフタレート、ポリエチレンナフタレート等のポリエステル系樹脂、ナイロン６、ナイロン１２、共重合ナイロン等のポリアミド系樹脂、ポリビニルアルコ−ル、エチレン−酢酸ビニル共重合体のケン化部等のポリビニルアルコール系樹脂、ポリビニルブチラ−ル系樹脂、その他等の各種の樹脂のフィルムを使用することができる。この外装基材の厚みは、５〜２００μｍぐらい、好ましくは１０〜５０μｍ程度の範囲である。
【００２８】
その中でも、水蒸気、水等のバリア性を有する低密度ポリエチレン、中密度ポリエチレン、高密度ポリエチレン、直鎖状低密度ポリエチレン、ポリプロピレン、エチレン−プロピレン共重合体等の樹脂のフィルム、あるいは、酸素、水蒸気等に対するバリア性を有するポリ塩化ビニリデン、ポリビニルアルコール、エチレン−酢酸ビニル共重合体ケン化物等の樹脂のフィルムを使用することができる。
【００２９】
特に、これらの中で、二軸延伸ポリプロピレン（ＯＰＰ）、二軸延伸ナイロン、ポリ塩化ビニリデンをコート（Ｋコートと呼ばれる）して二軸延伸ポリプロピレン、Ｋコート二軸延伸ポリエチレンテレフタレ−ト、Ｋコート二軸延伸ナイロンが好適に使用される。
【００３０】
さらに、上記の二軸延伸ポリプロピレン（ＯＰＰ）および二軸延伸ナイロンに対して、それぞれ、アルムニウム蒸着，シリカ蒸着、アルミナ蒸着等の金属酸化物を蒸着したものも使用できる。
【００３１】
次に、本発明で使用される積層外装材１１，２１を構成するシーラント層２１，２２に用いるフィルムとしては、熱によって溶融し相互に融着し得るものであればよく、例えば、低密度ポリエチレン、中密度ポリエチレン、高密度ポリエチレン、直鎖状（線状）低密度ポリエチレン、ポリプロピレ、エチレン−酢酸ビニル共重合体、アイオノマ−樹脂、エチレン−アクリル酸エチル共重合体、エチレン−アクリル酸共重合体、エチレン−メタクリル酸共重合体、エチレン−プロピレン共重合体、メチルペンテンポリマ−、ポリエチレン若しくはポリプロピレン等のポリオレフィン系樹脂をアクリル酸、メタクリル酸、マレイン酸、無水マレイン酸、フマ−ル酸、イタコン酸、その他等の不飽和カルボン酸で変性した酸変性ポリオレフィン系樹脂、ポリ酢酸ビニル系樹脂、ポリエステル系樹脂、ポリスチレン系樹脂、その他等の樹脂を使用することができる。
【００３２】
特に、これらの中で好適には、無延伸ポリプロピレン（ＣＰＰ）樹脂、エチレン−ブテン−ポリプロピレン共重合体系樹脂または直鎖状低密度ポリエチレン（ＬＬＤＰＥ）樹脂、が用いられ、さらにはメタロセン触媒中で重合されたＬＬＤＰＥも好適に用いれれる。シーラント層の厚みは特に制限されないが、５〜１００μｍぐらい、好ましくは１０〜５０μｍ程度の範囲である。
【００３３】
本発明のを得るために、基材１４にシーラント層１３を積層する接着剤としては、例えば、ポリウレタン系、ポリエステル系、ポリアミド系、エポキシ系、ポリ（メタ）アクリル系、等を主成分とする各種のラミネート用接着剤を使用して形成することができる。接着剤層の形成は、上記のようなラミネート用接着剤を、例えば、ロールコート、グラビアコート、ナイフコート、デッブコート、スプレイコート、その他のコーティング法でコーティングし、溶剤、希釈剤等を乾燥除去して行うことができる。上記のラミネート用接着剤の塗布量としては０．１〜５ｇ／ｍ2（乾燥状態）程度が好ましい。
【００３４】
かくして、本発明における積層外装材は、ＰＴＰ包装、ストリップ包装、ピロー包装等各種包装用途に有用である。
【００３５】
上記の製袋にあたっては、通常の製袋機をを採用することができる。例えば、ホットバーシール式やホットロールシール式の製袋機が使用でき側面シール形、２方シール形、３方シール形、合掌シール形等の袋に加工して利用される。また、製袋と充填を同時に行うピロー包装、ＰＴＰ包装、ストリップ包装、三方シール包装、四方シール包装等の自動製袋充填機を用いて本発明の湿分吸収包装体を製造できる。
【００３６】
本発明の湿分吸収包装体に収納する被包装物としては、湿気を嫌う食品、医薬品、精密機器、電子部品等各種製品が好適である。そして、その被包装物を袋等の容器内湿分による変質や機能劣化から保護することができる。
【００３７】
本発明の湿分吸収包装体は、積層外装基材に介在されている水分吸収シートの縦方向の長さまたは横方向の幅が任意に設定できることで、無駄な水分吸収シートを使用することなく、かつ包装体の外観を損ねることがない。また、前記水分吸収シートが、湿分吸収包装体の縦側端シール部または横側端シール部にシールされて積層外装基材に介在されていることで、被包装物に水分吸収シートが付着し、被包装物が食品等である場合には、食品と一緒に水分吸収シートを誤食したり、食品と共に水分吸収シートも料理されてしまう可能性等の問題が解消できる。さらに、前記水分吸収シートが、湿分吸収包装体を構成する積層外装材の最内層に位置するように介在されていることで、包装袋内の湿気除去に十分な効果を奏する。
【図面の簡単な説明】
【００３８】
【図１】本発明の湿分吸収包装体についてその一例を示す平面図（ａ）およびＡ−Ａ断面図（ｂ）である。
【図２】本発明の湿分吸収包装体についてその他の例を示す平面図である。
【図３】本発明の湿分吸収包装体についてその別の例を示す斜視図である。
【図４】従来の湿分吸収包装体に使用する包装材料の一例を示す断面図である。
【符号の説明】
【００３９】
１０、２０、３０・・・湿分吸収包装体
１１、２１・・・積層外装材
１１ａ、２１ａ・・・縦側端シール部
１１ｂ、２１ｂ、３６・・・横側端シール部
１２、２２・・・水分吸収シート
１３・・・シーラント層
１４・・・外装基材
１５、２５、３５・・・被包装物
３２・・・水分吸収シートからなる包装帯
３７・・・縦中央シール部
【図１】
2008285196.tif 000003
【図２】
2008285196.tif 000004
【図３】
2008285196.tif 000005
【図４】
2008285196.tif 000006